(57)【要約】【課題】本発明は、止め具取付部が蓋体の外周から突出することがなく、しかも、止め具取付部に取り付けられた止め具が蓋体の外周から突出する突出量を抑えることができるランチボックスの提供を目的とする。【解決手段】第１ボックス１と、蓋体２と、止め具３とを備える。止め具３は、被取付部３２と、止め具本体３１とを備える。蓋体２は、天板部２１と、止め具取付部とを備え、止め具取付部は、止め具本体用受容部２４と、被取付部用受容部２５とを備える。又、止め具本体用受容部２４は、止め具本体３２の一部又は全体が蓋内側領域に位置するように、蓋内側領域に形成され、被取付部用受容部２５は、止め具本体用受容部２４から蓋内側領域の内方側に凹まされるように形成されている。【選択図】図３
2015058178.tif 000002
【特許請求の範囲】
【請求項１】
第１ボックスと、蓋体と、前記第１ボックスと前記蓋体とを係合する止め具とを備え、
前記止め具は、前記蓋体に取り付けられた被取付部と、前記被取付部と回動自在に連結され前記第１ボックスと係脱自在に係合する止め具用係合部を有する止め具本体とを備え、
前記蓋体は、前記第１ボックスを覆う天板部と、前記止め具を取り付けるための止め具取付部とを備え、
前記止め具取付部は、前記第１ボックスに係合した係合位置と係合解除された解除位置との間で止め具本体が回動可能になるように前記被取付部を受容した被取付部用受容部と、前記係合位置にある前記止め具本体を受容した止め具本体用受容部とを備え、
前記止め具本体用受容部は、平面視で前記天板部の外周縁によって囲まれた蓋内側領域に前記止め具本体の一部又は全体が位置するように、前記蓋内側領域の前記第１ボックス側に形成され、
前記被取付部用受容部は、前記止め具本体用受容部から前記蓋内側領域の内方側に凹まされるように形成されていることを特徴とするランチボックス。
【請求項２】
前記蓋体は、前記天板部の外周から、前記第１ボックスを覆った状態で前記第１ボックスを取り囲むように前記第１ボックス側に延ばされた蓋側壁を備え、
前記止め具本体用受容部は、前記蓋側壁の一部が前記蓋内側領域の内方側に凹まされるように形成され、
前記被取付部用受容部は、前記止め具本体用受容部と連通するとともに、前記止め具本体用受容部から前記蓋内側領域の内方側に凹まされるように前記蓋側壁の一部が形成されていることを特徴とする請求項１記載のランチボックス。
【請求項３】
前記止め具取付部は、前記第１ボックスを覆った状態の前記天板部における前記第１ボックス側に、前記被取付部用受容部区画壁を備え、
前記被取付部用受容部は、前記被取付部用受容部区画壁に区画形成され、
前記被取付部は、前記被取付部用受容部区画壁に係合されていることを特徴とする請求項１又は２記載のランチボックス。
【請求項４】
前記被取付部用受容部区画壁は、前記天板部と対向した取付板部を備え、
前記被取付部用受容部は、前記天板部と前記取付板部との間に形成され、
前記被取付部は、前記被取付部用受容部に受容された前記被取付部が前記被取付部用受容部から抜けないように抜け止めするための抜け止め用突部を備え、
前記取付板部は、前記抜け止め用突部が入り込む抜け止め用孔を備え、
前記抜け止め用孔は、前記取付板部の下面から前記被取付部用受容部の内部に貫通するように形成されていることを特徴とする請求項３に記載のランチボックス。
【請求項５】
前記止め具取付部は、前記被取付部用受容部における前記止め具本体用受容部とは反対側の奥部に、前記被取付部用受容部に受容された前記被取付部を前記被取付部用受容部から押し出す方向に押圧操作するための止め具押圧操作用孔を備え、
前記止め具押圧操作用孔は、前記被取付部用受容部の内部から外部に連通するように形成されていることを特徴とする請求項１〜４の何れか一項に記載のランチボックス。
【請求項６】
前記第１ボックスに重ね合わされ前記第１ボックスと前記蓋体の間に配設される第２ボックスを、更に備え、
前記第２ボックスは、係合位置にある前記止め具本体の一部を受容する第２ボックス用止め具受容部を備えていることを特徴とする請求項１〜５の何れか一項に記載のランチボックス。
【請求項７】
前記第１ボックスは、収納部を区画形成したボックス側壁と、前記止め具の止め具用係合部と係合するボックス用係合部とを備え、
前記ボックス側壁は、前記止め具係合部を受容する止め具係合部用受容部を備え、
前記止め具係合部用受容部は、前記ボックス側壁の一部が前記収納部の内方側に凹まされるように形成され、
前記ボックス用係合部は、前記止め具係合部用受容部の内部に形成されていることを特徴とする請求項１〜６の何れか一項に記載のランチボックス。
【請求項８】
前記第１ボックスは、前記止め具係合部用受容部の上部側を外部から仕切った所定幅の仕切壁を備え、
前記ボックス用係合部は、前記仕切壁の幅方向の一端部側に形成されたボックス用第１係合部と、前記仕切壁の幅方向の他端部側に形成されたボックス用第２係合部とを備え、
前記仕切壁は、前記ボックス用第１係合部とボックス用第２係合部との間に、前記収納部の内方側に凹ませるように形成された切込み凹部を備えていることを特徴とする請求項１〜７の何れか一項に記載のランチボックス。
【発明の詳細な説明】
【技術分野】
【０００１】
本発明は、ランチボックスに関するものである。
【背景技術】
【０００２】
従来から、ランチボックス本体と蓋体とを係合する止め具を備えたランチボックスは広く知られており、例えば特許文献１に、前記止め具を備えたランチボックスが開示されている。この特許文献１に開示されたランチボックスは、蓋体の蓋側壁に突設された止め具取付部を備え、この止め具取付部に止め具を回動自在に取り付けたものである。このようにして止め具取付部を蓋体の蓋側壁に突設させることにより、蓋体の上面の形状を維持し上面に印刷等を施すことができるようにしている。
【先行技術文献】
【特許文献】
【０００３】
【特許文献１】特開平５−８４１１０号公報
【発明の概要】
【発明が解決しようとする課題】
【０００４】
しかしながら、特許文献１に開示のランチボックスでは、止め具取付部が蓋体の側壁に突設されているため、止め具取付部が蓋体の外周から外方に突出するとともに、その止め具取付部に取り付けられた止め具の、蓋体の外周からの突出量が多くなってしまう。そのように突出量が多くなると、ランチボックス全体が嵩張ったものになってしまう。又、突出量が多くなると、ランチボックスを持ち運びする際や蓋体を取り扱う際等に、止め具取付部や止め具が他の物に引っ掛かかり易くなってしまう。
【０００５】
本発明は、蓋体の上面の形状を維持し、止め具取付部が蓋体の外周から突出することがなく、しかも、止め具取付部に取り付けられた止め具が蓋体の外周から突出する突出量を抑えることができるランチボックスの提供を目的とする。
【課題を解決するための手段】
【０００６】
上記課題を解決するため、本願発明は、第１ボックスと、蓋体と、前記第１ボックスと前記蓋体とを係合する止め具とを備え、前記止め具は、前記蓋体に取り付けられた被取付部と、前記被取付部と回動自在に連結され前記第１ボックスと係脱自在に係合する止め具用係合部を有する止め具本体とを備え、前記蓋体は、前記第１ボックスを覆う天板部と、前記止め具を取り付けるための止め具取付部とを備え、前記止め具取付部は、前記第１ボックスに係合した係合位置と係合解除された解除位置との間で止め具本体が回動可能になるように前記被取付部を受容した被取付部用受容部と、前記係合位置にある前記止め具本体を受容した止め具本体用受容部とを備え、前記止め具本体用受容部は、平面視で前記天板部の外周縁によって囲まれた蓋内側領域に前記止め具本体の一部又は全体が位置するように、前記蓋内側領域の前記第１ボックス側に形成され、前記被取付部用受容部は、前記止め具本体用受容部から前記蓋内側領域の内方側に凹まされるように形成されていることを特徴とするランチボックスを提供する。
【０００７】
これによれば、止め具取付部は、止め具本体の一部又は全体が蓋内側領域に位置するように蓋内側領域に形成された止め具本体用受容部と、止め具本体用受容部から蓋内側領域の内方側に凹まされるように形成された被取付部用受容部とを備えているため、蓋体の上面の形状を維持しつつ、止め具取付部が蓋体の外周から外方に突出しないものにできる。又、止め具取付部に取り付けられた止め具本体が蓋体の外周から外方に突出しないか又は突出量を抑えることができる。
【０００８】
従って、ランチボックスが止め具取付部や止め具によって嵩張るようなことがないものにできるとともに、ランチボックスを持ち運びする際や蓋体を取り扱う際等に、止め具取付部や止め具が他の物に引っ掛かかり難いものにできる。
【０００９】
又、止め具を蓋体の止め具取付部に取り付ける場合は、止め具の被取付部を蓋体の止め具取付部の被取付部用受容部に、止め具本体用受容部から挿入する。これにより、止め具の被取付部を蓋体の止め具取付部の被取付部用受容部に受容させて取り付けることができ、容易に取り付けることができる。
【００１０】
上記ランチボックスにおいて、前記蓋体は、前記天板部の外周から、前記第１ボックスを覆った状態で前記第１ボックスを取り囲むように前記第１ボックス側に延ばされた蓋側壁を備え、前記止め具本体用受容部は、前記蓋側壁の一部が前記蓋内側領域の内方側に凹まされるように形成され、前記被取付部用受容部は、前記止め具本体用受容部と連通するとともに、前記止め具本体用受容部から前記蓋内側領域の内方側に凹まされるように前記蓋側壁の一部が形成されている構成とできる。
【００１１】
これによれば、蓋側壁の成形に際して止め具本体用受容部と被取付部用受容部とを一体成形によって形成することも可能になり、止め具本体用受容部と被取付部用受容部との成形を容易なものにできる。
【００１２】
上記ランチボックスにおいて、前記止め具取付部は、前記第１ボックスを覆った状態の前記天板部における前記第１ボックス側に、前記被取付部用受容部区画壁を備え、前記被取付部用受容部は、前記被取付部用受容部区画壁に区画形成され、前記被取付部は、前記被取付部用受容部区画壁に係合されている構成とできる。
【００１３】
これによれば、止め具の被取付部を蓋体の止め具取付部の被取付部用受容部に挿入するだけで被取付部用受容部区画壁に係合できる。従って、止め具の被取付部を止め具取付部に容易に取り付けることができる。
【００１４】
上記ランチボックスにおいて、前記被取付部用受容部区画壁は、前記天板部と対向した取付板部を備え、前記被取付部用受容部は、前記天板部と前記取付板部との間に形成され、前記被取付部は、前記被取付部用受容部に受容された前記被取付部が前記被取付部用受容部から抜けないように抜け止めするための抜け止め用突部を備え、前記取付板部は、前記抜け止め用突部が入り込む抜け止め用孔を備え、前記抜け止め用孔は、前記取付板部の下面から前記被取付部用受容部の内部に貫通するように形成されている構成とできる。
【００１５】
これによれば、抜け止め用孔に入り込んだ抜け止め用突部を、その抜け止め用突部が入り込んだ側と反対側から押圧することにより、抜け止め用孔から抜け止め用突部を出すことができる。これにより、被取付部を被取付部用受容部から取り外すことができ、例えば清掃作業を容易に行うことができる。又、その際、抜け止め用孔を取付板部の下面から被取付部用受容部の内部に貫通するように形成されているため、蓋体の裏面を上側にすれば、抜け止め用孔から抜け止め用突部を押圧する作業を上方側から行うことができる。従って、被取付部を被取付部用受容部から取り外す作業を、より一層、容易に行うことができる。
【００１６】
上記ランチボックスにおいて、前記止め具取付部は、前記被取付部用受容部における前記止め具本体用受容部とは反対側の奥部に、前記被取付部用受容部に受容された前記被取付部を前記被取付部用受容部から押し出す方向に押圧操作するための止め具押圧操作用孔を備え、前記止め具押圧操作用孔は、前記被取付部用受容部の内部から外部に連通するように形成されている構成とできる。
【００１７】
これによれば、被取付部用受容部に入った被取付部を、被取付部用受容部の奥部から押圧すれば、被取付部を止め具本体用受容部側に押し出すことができる。これにより、被取付部を被取付部用受容部から容易に取り外すことができ、例えば清掃作業を容易に行うことができる。
【００１８】
上記ランチボックスにおいて、前記第１ボックスに重ね合わされ前記第１ボックスと前記蓋体の間に配設される第２ボックスを、更に備え、前記第２ボックスは、係合位置にある前記止め具本体の一部を受容する第２ボックス用止め具受容部を備えている構成とできる。
【００１９】
これによれば、第１ボックスと第２ボックスとの２段重ねのランチボックスにも、止め具取付部が蓋体の外周から外方に突出しないものにできる。又、第２ボックスは、止め具本体の一部を受容する第２ボックス用止め具受容部を備えているため、止め具本体が第２ボックスの外周から外方に突出する突出量を抑えることができる。
【００２０】
前記ランチボックスにおいて、前記第１ボックスは、収納部を区画形成したボックス側壁と、前記止め具の止め具用係合部と係合するボックス用係合部とを備え、前記ボックス側壁は、前記止め具係合部を受容する止め具係合部用受容部を備え、前記止め具係合部用受容部は、前記ボックス側壁の一部が前記収納部の内方側に凹まされるように形成され、前記ボックス用係合部は、前記止め具係合部用受容部の内部に形成されている構成とできる。
【００２１】
これによれば、ボックス用係合部は止め具係合部用受容部の内部に形成されているため、止め具の止め具用係合部とボックス用係合部とを止め具係合部用受容部の内部で係合できる。これにより、係合状態で、止め具のボックス側壁から外方への突出量を抑えることができる。
【００２２】
前記ランチボックスにおいて、前記第１ボックスは、前記止め具係合部用受容部の上部側を外部から仕切った所定幅の仕切壁を備え、前記ボックス用係合部は、前記仕切壁の幅方向の一端部側に形成されたボックス用第１係合部と、前記仕切壁の幅方向の他端部側に形成されたボックス用第２係合部とを備え、前記仕切壁は、前記ボックス用第１係合部とボックス用第２係合部との間に、前記収納部の内方側に凹ませるように形成された切込み凹部を備えている構成とできる。
【００２３】
これによれば、例えば第１ボックスを覆う中蓋が設けられている場合、或いは、第１ボックスの上に第２ボックスが重ね合わされている場合、止め具の止め具用係合部とボックス用係合部との係合を外した後、止め具係合部用受容部内から切込み凹部を介して中蓋或いは第２ボックスを第１ボックスから押圧して外すこともでき、中蓋或いは第２ボックスを第１ボックスから容易に外すことが可能になる。
【発明の効果】
【００２４】
本発明のランチボックスは、止め具取付部が蓋体の外周から突出することがなく、しかも、止め具取付部に取り付けられた止め具が蓋体の外周から突出する突出量を抑えることができる。
【図面の簡単な説明】
【００２５】
【図１】本発明の第１実施形態のランチボックスの左側面図である。
【図２】図１のＩＩ−ＩＩ線断面図である。
【図３】図２の要部拡大断面図である。
【図４】図１のランチボックスの蓋体の平面図である。
【図５】図４の底面図である。
【図６】図４のＶＩ−ＶＩ線断面図である。
【図７】図４のＶＩＩ−ＶＩＩ線断面図である。
【図８】図１のランチボックスの止め具の正面図である。
【図９】図８の平面図である。
【図１０】図８の背面図である。
【図１１】図８のＸＩ−ＸＩ線断面図である。
【図１２】図８のＸＩＩ−ＸＩＩ線断面図である。
【図１３】本発明の第２実施形態のランチボックスの左側面図である。
【図１４】図１３のＸＩＶ−ＸＩＶ線断面図である。
【図１５】図１３の第２実施形態のランチボックスのランチボックス本体における係合部用受容部を拡大した側面図である。
【図１６】図１５のＸＶＩ−ＸＶＩ線断面図である。
【図１７】図１３の第２実施形態のランチボックスの止め具の正面図である。
【図１８】図１７の平面図である。
【図１９】図１７の背面図である。
【図２０】図１７のＸＸ−ＸＸ線断面図である。
【図２１】図１７のＸＸＩ−ＸＸＩ線断面図である。
【発明を実施するための形態】
【００２６】
以下、本発明を実施するための形態について、図面を参照しながら詳細に説明する。図１は、本発明の第１実施形態のランチボックスの左側面図、図２は、図１のＩＩ−ＩＩ線断面図である。
【００２７】
第１実施形態のランチボックス１０は、略直方体状を呈しており、ランチボックス本体と、蓋体２と、ランチボックス本体と蓋体２とを係合する２つの止め具３とを備えている。
【００２８】
この第１実施形態のランチボックス本体は、１つの第１ボックス１から構成されている。この第１ボックス１は、底壁１１と、ボックス側壁１２ａ〜１２ｄと、止め具３が係合されるボックス用係合部１７（図３に図示）とを備えている。
【００２９】
ボックス側壁は、底壁１１の外周の全周から上方に一体的に延設されており、左ボックス側壁１２ａ、右ボックス側壁１２ｂ、前ボックス側壁１２ｃ及び後ボックス側壁１２ｄを備えている。そして、これらのボックス側壁１２ａ〜１２ｄによって、収納部１３が区画形成されている。尚、この実施形態では、収納部１３に、収納部１３を仕切る仕切部材１３ａが配設されているが、このような仕切部材１３ａは、配設されなくてもよく、適宜変更できる。
【００３０】
又、左ボックス側壁１２ａと右ボックス側壁１２ｂとは、それぞれ、止め具係合部用受容部１６を備えている。左ボックス側壁１２ａの止め具係合部用受容部１６は、左ボックス側壁１２ａの上部側の一部を、所定幅で、収納部１３の内方側に凹ませるようにして形成されている。又、止め具係合部用受容部１６の上部側は、仕切壁１９によって外部から仕切られている。
【００３１】
右ボックス側壁１２ｂの止め具係合部用受容部１６は、左ボックス側壁１２ａの止め具係合部用受容部１６と同構成を採っており、左右対称に配設されている。
【００３２】
又、この実施形態では、これらのボックス側壁１２ａ〜１２ｄは、上端側の外面に、全周にわたって形成された中蓋用第１係合部１４を備え、この中蓋用第１係合部１４に、中蓋４が係脱自在に係合されている。
【００３３】
この実施形態の中蓋４は、第１ボックス１のボックス側壁１２ａ〜１２ｄの上端の外周と略同形状に形成されており、この中蓋４は、中蓋天板４１と、中蓋天板４１の外周の全周にわたって形成された周縁４２ａ、４２ｂと、中蓋用第１係合部１４に係脱自在に係合する中蓋用第２係合部４３とを備えたものが用いられている。
【００３４】
中蓋天板４１は、上面側に、２つの箸収納壁４１ａによってその間に区画形成された箸収納部４１ｂを備えている。
【００３５】
周縁は、中蓋天板４１の外周から上方側に突設された上周縁４２ａと、中蓋天板４１の外周から下方側に突設された下周縁４２ｂとを備えている。
【００３６】
中蓋用第２係合部４３は、下周縁４２ｂの外周側に形成され、ボックス側壁の中蓋用第１係合部１４の外周側から係合するように形成されている。そして、この中蓋用第２係合部４３がボックス側壁の中蓋用第１係合部１４に係合されることにより、中蓋天板４１が収納部１３の全体を上方側から覆う。
【００３７】
次に、第１ボックス１のボックス用係合部１７について説明する。ボックス用係合部１７は、この実施形態では、図２、図３に示すように上記仕切壁１９における下面に形成されている。従って、この実施形態のボックス用係合部１７は、止め具係合部用受容部１６の内部に配設されている。
【００３８】
次に、蓋体２について説明する。蓋体２は、図４〜図７に示すように、天板部２１と、蓋側壁２２ａ〜２２ｄとを備えている。天板部２１は、平面視で略矩形状を呈し、ボックス側壁１２ａ〜１２ｄの上端部と同程度の大きさに形成され、天板部２１が第１ボックス１（収納部１３）を上方側から覆うことができるようになっている。
【００３９】
蓋側壁は、左蓋側壁２２ａ、右蓋側壁２２ｂ、前蓋側壁２２ｃ及び後蓋側壁２２ｄを備えている。これらの蓋側壁２２ａ〜２２ｄは、天板部２１の外周から下方側に、全周にわたって一体的に延設され、下端が中蓋４の上周縁４２ａの外周側に嵌合し得る大きさに形成されている。
【００４０】
そして、これらの蓋側壁２２ａ〜２２ｄが中蓋４の上周縁４２ａに嵌合されることにより、天板部２１が中蓋４を上方側から覆う。従って、この実施形態では、天板部２１は、中蓋４を介して第１ボックス１（収納部１３）を間接的に覆う。
【００４１】
又、蓋体２は、左蓋側壁２２ａと右蓋側壁２２ｂとに、それぞれ、止め具３を取り付けるための止め具取付部２３を備えている。左蓋側壁２２ａに設けられた止め具取付部２３は、後述の止め具３の止め具本体３１を受容する止め具本体用受容部２４と、後述の止め具３の被取付部３２を受容する被取付部用受容部２５とを備えている。
【００４２】
止め具本体用受容部２４は、左蓋側壁２２ａの上部側の一部を、平面視で天板部２１の外周縁によって囲まれた蓋内側領域２０（図４に２点鎖線で示した領域）の内方側（図３の右側）に凹まされるようにして、第１ボックス１の止め具係合部用受容部１６と略同幅に形成されている。
【００４３】
被取付部用受容部２５は、止め具本体用受容部２４から上記蓋内側領域２０の内方側に凹まされるようにして止め具本体用受容部２４と連通孔２６を介して連通するように形成されている。
【００４４】
詳しくは、止め具本体用受容部２４は、上記蓋内側領域２０の内方側に、止め具本体用受容部区画壁２４ａによって区画形成されている。又、その止め具本体用受容部区画壁２４ａの奥区画壁２４ｂから蓋内側領域２０の内方側（図の右側）に延ばされた被取付部用受容部区画壁が設けられている。
【００４５】
被取付部用受容部区画壁は、天板部２１と所定間隔を隔てた下方側に天板部２１と対向するように配設されて取付板部２５ａと、天板部２１から取付板部２５ａに延ばされた区画側壁２５ｄ及び区画奥側壁２５ｅとを備えている。
【００４６】
そして、これらの取付板部２５ａと区画側壁２５ｄと区画奥側壁２５ｅと天板部２１とによって被取付部用受容部２５が止め具本体用受容部２４と連通するように区画形成されている。
【００４７】
又、取付板部２５ａは、後述の止め具３の抜け止め用突部が入り込む抜け止め用孔２５ｂを備えている。この抜け止め用孔２５ｂは、取付板部２５ａの下面から被取付部用受容部２５の内部に貫通するように形成されている。
【００４８】
又、止め具取付部２３は、被取付部用受容部２５における止め具本体用受容部２４と反対側の区画奥側壁２５ｅに、被取付部用受容部２５に受容した後述の止め具３の被取付部を止め具本体用受容部２４側に押圧操作するための止め具押圧操作用孔２５ｃを備えている。この止め具押圧操作用孔２５ｃは、被取付部用受容部２５の内部から外部に連通するように区画奥側壁２５ｅを貫通して形成されている。
【００４９】
右蓋側壁２２ｂに設けられた止め具取付部２３は、上記左蓋側壁２２ａの止め具取付部２３と同構成を採っており、上記左蓋側壁２２ａに設けられた止め具取付部２３と左右対称に形成されている。
【００５０】
次に、止め具３について説明する。止め具３は、それぞれ、左蓋側壁２２ａの止め具取付部２３と右蓋側壁２２ｂの止め具取付部２３とのそれぞれに取り付けられる。
【００５１】
２つの止め具３は、互いに同一構成を採っており、各止め具３は、図８〜図１２に示すように、止め具本体３１と、蓋体２に取り付けられる被取付部３２とを備えている。
【００５２】
止め具本体３１は、その幅が止め具本体用受容部２４の幅よりも狭く形成され、止め具本体用受容部２４に入り込むことができるようになっている。この実施形態の止め具本体３１は、下部側に、第１ボックス１のボックス用係合部１７と係脱自在に係合する止め具用係合部３１ａと、止め具用係合部３１ａの下方側に、止め具用係合部３１ａを係脱操作する操作把持部３１ｂとを備えている。
【００５３】
止め具用係合部３１ａは、止め具本体３１の裏面における下方側に、裏面から突出するように形成されている。
【００５４】
被取付部３２は、枠部３３と、被取付部用受容部２５から被取付部３２を抜け止めするための抜け止め用突部３５を有する撓み可能な可撓片３４とを備えている。
【００５５】
枠部３３は、幅及び高さが止め具取付部２３の被取付部用受容部２５の幅及び高さと同程度に形成され、連通孔２６から被取付部用受容部２５に入りこむことができるように形成されている。
【００５６】
可撓片３４は、図９に示すように、一端部３４ａを除く周部に形成された切り離し孔３３ａによって枠部３３の内側に略矩形状に区画形成されており、その一端部３４ａだけが枠部３３と連結されている。これにより、可撓片３４は、その一端部３４ａから他端部３４ｂにかけて撓むことができるように構成されている。
【００５７】
抜け止め用突部３５は、可撓片３４の他端部３４ｂに、可撓片３４の下面から下方に突出するように形成されている。
【００５８】
そして、この被取付部３２は、止め具本体３１の上端と互いに回動自在に連結されている。この実施形態では、図１１に示すように、被取付部３２は、止め具本体３１と一体成形によって形成された薄肉部からなるヒンジ３６を介して連結されるように形成されており、このヒンジ３６を回動の軸にして止め具本体３１に対して回動できるようになっている。
【００５９】
このように構成された止め具３は、次のようにして蓋体２の止め具取付部２３に取り付けられている。
【００６０】
図３に示すように、止め具３の被取付部３２が止め具取付部２３の止め具本体用受容部２４側から連通孔２６を介して被取付部用受容部２５に押し入れられる。これに伴い、可撓片３４が撓んで抜け止め用突部３５が取付板部２５ａの上面を摺動する。
【００６１】
そして、抜け止め用突部３５と取付板部２５ａの抜け止め用孔２５ｂとが合致すると、撓んでいた可撓片３４が復元し、抜け止め用突部３５が抜け止め用孔２５ｂに入り込む。この状態で、被取付部３２が止め具取付部２３の被取付部用受容部２５に、抜け止めされた状態で受容され、被取付部用受容部区画壁をなす取付板部２５ａ及び区画側壁２５ｄに係合されて固定的に取り付けられる。
【００６２】
又、この状態で、止め具３の止め具本体３１が止め具本体用受容部２４に、被取付部３２に対して回動し得るように受容される。又、その被取付部３２に対する止め具本体３１の回動に際して、止め具用係合部３１ａがボックス用係合部１７に係脱自在に係合する。又、止め具用係合部３１ａがボックス用係合部１７に係合した状態で、止め具本体３１の一部が、上記蓋内側領域２０に位置している。
【００６３】
以上のように構成されることにより、止め具取付部２３が蓋体２の外周から外方に突出しないものにできる。又、止め具取付部２３に取り付けられた止め具本体３１が蓋体２の外周から外方への突出量を抑えることができる。
【００６４】
従って、ランチボックス１０が止め具取付部２３や止め具３によって嵩張るようなことがないものにできるとともに、ランチボックス１０を持ち運びする際や蓋体２を取り扱う際等に、止め具取付部２３や止め具３が他の物に引っ掛かかり難いものにできる。
【００６５】
又、蓋側壁の成形に際して止め具取付部２３の止め具本体用受容部２４と被取付部用受容部２５とを形成することができ、止め具本体用受容部２４と被取付部用受容部２５との成形を容易なものにできる。
【００６６】
又、抜け止め用孔２５ｂに入り込んだ抜け止め用突部３５を、その抜け止め用突部３５が入り込んだ側と反対側から押圧することにより、抜け止め用孔２５ｂから抜け止め用突部３５を出すことができる。これにより、被取付部３２を被取付部用受容部２５から取り出すことができ、清掃作業を容易に行うことができる。しかも、その際、抜け止め用孔２５ｂを取付板部２５ａの下面側から被取付部用受容部２５の内部に貫通するように形成されているため、抜け止め用孔２５ｂから抜け止め用突部３５を押圧する作業を容易に行うことができる。
【００６７】
又、被取付部用受容部２５に受容された被取付部３２を、被取付部用受容部２５の奥部から押圧すれば、被取付部３２を止め具本体用受容部２４側に押し出すことができる。これにより、被取付部３２を被取付部用受容部２５から容易に取り出すことができ、清掃作業を容易に行うことができる。
【００６８】
次に、第２実施形態のランチボックス１００について、図１３〜図２１に基づいて説明する。第２実施形態のランチボックス１００は、先の第１実施形態のものと同様に、ランチボックス本体１０１と、蓋体１０２と、２つの止め具１０３とを備えている。
【００６９】
蓋体１０２は、先の第１実施形態のものと同構成を採っている。詳しくは、蓋体１０２は、天板部１２１と、蓋側壁とを備えている。そして、左蓋側壁と右蓋側壁とは、それぞれ、止め具取付部１２３を備え、又、各止め具取付部１２３は、止め具本体用受容部１２４と、被取付部用受容部１２５とを備えている。
【００７０】
第２実施形態のランチボックス本体１０１は、第１ボックス１０１ａと、第１ボックス１０１ａの上方側に重ね合わされる第２ボックス１０１ｂとを備えたものから構成されている。
【００７１】
第１ボックス１０１ａは、先の第１実施形態のものと略同構成を採っており、底壁１１１ａと、左ボックス側壁１１２ａと、右ボックス側壁１１２ｂと、前ボックス側壁１１２ｃと、後ボックス側壁１１２ｄとを備え、それらのボックス側壁１１２ａ〜１１２ｄによって、収納部１１５ａが区画形成されている。
【００７２】
又、第１ボックス１０１ａは、左ボックス側壁１１２ａと右ボックス側壁１１２ｂとのそれぞれに、止め具係合部用受容部１１６を備えている。これらの止め具係合部用受容部１１６は、それぞれ、先の第１実施形態のものと略同構成を採っており、又、止め具係合部用受容部１１６の上部側は、仕切壁１１９によって外部から仕切られている。
【００７３】
又、図１５、図１６に示すように、この第２実施形態の仕切壁１１９の下面における幅方向の一端側にボックス用第１係合部１１７が、他端側にボックス用第２係合部１１７が、それぞれ、設けられている。又、仕切壁１１９は、それらのボックス用第１係合部１１７とボックス用第２係合部１１７との間に、収納部１１５ａ側に凹設された切込み凹部１１８を備えている。
【００７４】
尚、この第１ボックス１０１ａの上方に、第１ボックス用中蓋１０４ａが付設され、第１ボックス用中蓋１０４ａによって第１ボックス１０１ａが覆われている。この第１ボックス用中蓋１０４ａは、第１ボックス１０１ａのボックス側壁１１２ａ〜１１２ｄに載置されるようになっている。
【００７５】
第２ボックス１０１ｂは、図１３、図１４に示すように、第１ボックス１０１ａと同様に、底壁１１１ｂと、左ボックス側壁１１３ａと、右ボックス側壁１１３ｂと、前ボックス側壁１１３ｃと、後ボックス側壁１１３ｄとを備え、それらのボックス側壁１１３ａ〜１１３ｄによって、収納部１１５ｂが区画形成されている。
【００７６】
又、第２ボックス１０１ｂは、左ボックス側壁１１２ａと右ボックス側壁１１２ｂとのそれぞれに、後述の止め具１０３の止め具本体１３１の一部を受容する第２ボックス用止め具受容部１２０が設けられている。
【００７７】
左ボックス側壁１１２ａに設けられた第２ボックス用止め具受容部１２０は、左ボックス側壁１１２ａの一部を収納部１１５ｂの内方側に凹ませるように形成されている。この実施形態の第２ボックス用止め具受容部１２０は、第１ボックス１０１ａの止め具係合部用受容部１１６と略同幅で、左ボックス側壁１１２ａからの深さが第１ボックス１０１ａの止め具係合部用受容部１１６の深さよりも浅くなるように形成されている。
【００７８】
右ボックス側壁１１２ｂに設けられた第２ボックス用止め具受容部１２０は、左ボックス側壁１１２ａに設けられた第２ボックス用止め具受容部１２０と同構成をとっており、左右対称に形成されている。
【００７９】
尚、この第２ボックス１０１ｂは、第１ボックス１０１ａの仕切壁１１９及びボックス用係合部１１７に相当するものを有していない。又、この第２実施形態では、第２ボックス１０１ｂに、仕切部材１１５ｃが配設されている。
【００８０】
第２ボックス１０１ｂのボックス側壁１１３ａ〜１１３ｄは、その上端に、第２ボックス用中蓋１０４ｂを係脱自在に係合する中蓋用係合部１１４を備えている。そして、この中蓋用係合部１１４に、第２ボックス用中蓋１０４ｂが係合され、これにより、収納部１１５ｂが第２ボックス用中蓋１０４ｂに覆われるようになっている。
【００８１】
尚、中蓋用係合部１１４は、先の第１実施形態の中蓋用第１係合部１４と同構成を採っている。又、第２ボックス用中蓋１０４ｂは、先の第１実施形態の中蓋４と略同構成を採っている。
【００８２】
止め具１０３は、図１７〜図２１に示すように、先の第１実施形態のものと同様に、止め具本体１３１と、被取付部１３２とを備えている。
【００８３】
被取付部１３２は、先の第１実施形態のものと同構成を採っており、枠部１３３と、抜け止め用突部１３５を有する撓み可能な可撓片１３４とを備え、ヒンジ１３６によって止め具本体１３１と回動可能に連結されている。
【００８４】
止め具本体１３１は、下端に、第１ボックス１０１ａのボックス用係合部１１７と係脱自在に係合する止め具用係合部１３１ａと、操作把持部１３１ｂとを備えている。この第２実施形態の止め具用係合部１３１ａは、ボックス用係合部１１７のそれぞれに対応するように幅方向の両端側のそれぞれに、裏面から突出するように形成されている。
【００８５】
操作把持部１３１ｂは、２つの止め具用係合部１３１ａの間に、把持可能に形成されている。
【００８６】
このように構成された第２実施形態では、第１ボックス１０１ａの上に第１ボックス用中蓋１０４ａが載置される。その際、図１６に示すように仕切壁１１９の切込み凹部１１８の上方側に第１ボックス用中蓋１０４ａの一部が露出するように配設される。
【００８７】
そして、その第１ボックス用中蓋１０４ａ上に、第２ボックス用中蓋１０４ｂと係合された第２ボックス１０１ｂが載置される。更に、その第２ボックス用中蓋１０４ｂ上に、蓋体１０２の天板部１２１が第２ボックス用中蓋１０４ｂを覆うように載置される。従って、この第２実施形態では、蓋体１０２の天板部１２１が第２ボックス用中蓋１０４ｂを介して第２ボックス１０１ｂを間接的に覆うとともに、第２ボックス用中蓋１０４ｂと第２ボックス１０１ｂと第１ボックス用中蓋１０４ａとを介して第１ボックス１０１ａを間接的に覆う。
【００８８】
この状態で、止め具１０３の止め具用係合部１３１ａが第１ボックス１０１ａのボックス用係合部１１７に係合される。
【００８９】
一方、止め具１０３の止め具用係合部１３１ａが第１ボックス１０１ａのボックス用係合部１１７から係合解除された後は、切込み凹部１１８から第１ボックス用中蓋１０４ａを第１ボックス１０１ａに対して押し上げることができる。
【００９０】
これにより、第１ボックス用中蓋１０４ａ又は第１ボックス用中蓋１０４ａと共にその上方側に載置された第２ボックス１０１ｂ及び蓋体１０２を第１ボックス１０１ａから取り外すことができ、取り外し操作を容易なものにできる。
【００９１】
尚、上記実施形態では、中蓋４、１０４ａ、１０４ｂを備えたものとされているが、この形態のものに限らず、適宜変更できる。例えば中蓋４、１０４ａ、１０４ｂを有しないものとし、蓋体２、１０２の天板部２１、１２１がランチボックス本体を直接覆うものでもよい。又、第１ボックス用中蓋１０４ａを有しないものとし、第２ボックス１０１ｂが第１ボックス１０１ａを直接覆うものでもよい。
【００９２】
又、上記実施形態では、止め具３、１０３は、蓋体２、１０２の左右両側にそれぞれ、１つずつ、配設されているが、この形態のものに限らず、例えば蓋体２、１０２の左右の何れか一方側に１つ、配設されてもよく、適宜変更できる。
【符号の説明】
【００９３】
１、１０１ａ    第１ボックス
２、１０２    蓋体
３、１０３    止め具
１０，１００    ランチボックス
１７、１１７    ボックス用係合部
２１、１２１    天板部
２３、１２３    止め具取付部
２４、１２４    止め具本体用受容部
２５、１２５    被取付部用受容部
３１、１３１    止め具本体
３２、１３２    被取付部
１０１    ランチボックス本体
１０１ｂ    第２ボックス
１２０    第２ボックス用止め具受容部
【図１】
2015058178.tif 000003
【図２】
2015058178.tif 000004
【図３】
2015058178.tif 000005
【図４】
2015058178.tif 000006
【図５】
2015058178.tif 000007
【図６】
2015058178.tif 000008
【図７】
2015058178.tif 000009
【図８】
2015058178.tif 000010
【図９】
2015058178.tif 000011
【図１０】
2015058178.tif 000012
【図１１】
2015058178.tif 000013
【図１２】
2015058178.tif 000014
【図１３】
2015058178.tif 000015
【図１４】
2015058178.tif 000016
【図１５】
2015058178.tif 000017
【図１６】
2015058178.tif 000018
【図１７】
2015058178.tif 000019
【図１８】
2015058178.tif 000020
【図１９】
2015058178.tif 000021
【図２０】
2015058178.tif 000022
【図２１】
2015058178.tif 000023